(57)【要約】【課題】ＰＥＴ画像データと合成されるＣＴ画像データ又はＭＲ画像データの生成を容易にする。【解決手段】汎用ＰＣ端末は、メディアに記憶されている撮影オーダ情報生成プログラムに従って、メディアに記憶されているＰＥＴ画像データの付帯情報を読み出して検査リストを表示し（ステップＳ１３）、検査リストの中から選択された検査に含まれる、診断対象のＰＥＴ画像データを特定する（ステップＳ１５）。そして、診断対象のＰＥＴ画像データの付帯情報及びモダリティ所在情報に基づいて、診断対象のＰＥＴ画像データと同一患者の同一部位をＣＴ撮影又はＭＲ撮影して得られる、合成対象のＣＴ画像データ又はＭＲ画像データを生成するための撮影条件を含む撮影オーダ情報を生成し（ステップＳ１７）、モダリティ（ＣＴ装置又はＭＲ装置）に送信する（ステップＳ１９）。【選択図】図７
2010029284.tif 000002
【特許請求の範囲】
【請求項１】
ＰＥＴ撮影により得られたＰＥＴ画像データと共に可搬型記憶媒体に記憶されたプログラムであって、
コンピュータを、
前記可搬型記憶媒体に記憶されているＰＥＴ画像データの中から診断対象のＰＥＴ画像データを選択するための操作手段、
前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、
として機能させるためのプログラム。
【請求項２】
前記制御手段は、前記診断対象のＰＥＴ画像データに付帯されている付帯情報に基づいて、前記撮影条件を生成する、
請求項１に記載のプログラム。
【請求項３】
ＰＥＴ撮影により得られたＰＥＴ画像データを記憶する可搬型記憶媒体であって、
コンピュータを、
前記可搬型記憶媒体に記憶されているＰＥＴ画像データの中から診断対象のＰＥＴ画像データを選択するための操作手段、
前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、
として機能させるためのプログラムを前記ＰＥＴ画像データと共に記憶する可搬型記憶媒体。
【請求項４】
前記制御手段は、前記診断対象のＰＥＴ画像データに付帯されている付帯情報に基づいて、前記撮影条件を生成する、
請求項３に記載の可搬型記憶媒体。
【請求項５】
ＰＥＴ撮影により得られたＰＥＴ画像データを可搬型記憶媒体に書き込む書込制御手段を備える情報処理装置であって、
前記情報処理装置の書込制御手段は、
コンピュータを、
前記可搬型記憶媒体に記憶されているＰＥＴ画像データの中から診断対象のＰＥＴ画像データを選択するための操作手段、
前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、
として機能させるためのプログラムを前記ＰＥＴ画像データと共に前記可搬型記憶媒体に書き込む情報処理装置。
【請求項６】
前記制御手段は、前記診断対象のＰＥＴ画像データに付帯されている付帯情報に基づいて、前記撮影条件を生成する、
請求項５に記載の情報処理装置。
【発明の詳細な説明】
【技術分野】
【０００１】
本発明は、プログラム、可搬型記憶媒体及び情報処理装置に関する。
【背景技術】
【０００２】
近年、多くの医療機関において情報のデジタル化が図られている。例えば、ＣＲ（Computed Radiography）装置、ＣＴ（Computed Tomography）装置、ＭＲ（Magnetic Resonance）装置等の画像生成装置（モダリティ）は、撮影により得られた医用画像の画像データに付帯情報を付帯させて、ＤＩＣＯＭ（Digital Imaging and Communications in Medicine）規格に則ったＤＩＣＯＭ画像データを生成する。モダリティにおいて生成されたＤＩＣＯＭ画像データは、画像サーバによって管理される。
【０００３】
また、癌細胞を早期に発見する目的で、ＰＥＴ（Positron Emission Tomography）装置による全身スクリーニングが普及しつつある。癌細胞は、正常な細胞と比較してブドウ糖の消費が多いため、ＰＥＴ装置によって細胞の代謝の様子を画像化することにより、癌細胞を検出することができる。ＰＥＴ画像のみでは、画像内の各位置が患者のどこに対応するかを特定することが困難であるため、組織の形状を表すＣＴ画像又はＭＲ画像と合成（フュージョン）することによって、癌細胞の正確な位置が把握可能となる。
【０００４】
現在、ＰＥＴ装置を備える施設は限られているため、外部の施設で撮影されたＰＥＴ画像がＣＤ−Ｒ等のメディア（可搬型記憶媒体）に記憶されて他施設に提供される場合もある。
【０００５】
これらのメディアには、ＩＨＥ（Integrating Healthcare Enterprise）及びＩＨＥ−Ｊ（Integrating Healthcare Enterprise - Japan）のＰＤＩ（Portable Data for Imaging）によって定められたデータ構造に則って、ＤＩＣＯＭ画像データが書き込まれるため、異なる医療施設間や、異なるベンダのシステム間において、当該ＤＩＣＯＭ画像データのデータ移送、データ参照が可能になっている。
【０００６】
また、モダリティに接続されたコンソールにおいて、モダリティによる撮影と並行して、画像サーバに対して患者の過去データの検索要求を行う医用画像診断システムが提案されている（特許文献１参照）。
【特許文献１】特開２０００−３１６８１４号公報
【発明の開示】
【発明が解決しようとする課題】
【０００７】
しかし、メディアを介してＰＥＴ画像が提供された医療施設において、このＰＥＴ画像と合成されるＣＴ画像又はＭＲ画像を撮影する場合には、ＰＥＴ画像の検査部位と同一の部位を検査対象としければならない。
【０００８】
また、ＣＴ装置又はＭＲ装置の撮影技師は、メディアに記憶されているＰＥＴ画像の付帯情報を参考にして、撮影条件（患者情報、検査種、検査部位等）を手入力する必要があり、煩雑な作業であった。
【０００９】
本発明は、上記の従来技術における問題に鑑みてなされたものであって、ＰＥＴ画像データと合成されるＣＴ画像データ又はＭＲ画像データの生成を容易にすることを課題とする。
【課題を解決するための手段】
【００１０】
上記課題を解決するために、請求項１に記載の発明は、ＰＥＴ撮影により得られたＰＥＴ画像データと共に可搬型記憶媒体に記憶されたプログラムであって、コンピュータを、前記可搬型記憶媒体に記憶されているＰＥＴ画像データの中から診断対象のＰＥＴ画像データを選択するための操作手段、前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、として機能させるためのプログラムである。
【００１１】
請求項２に記載の発明は、請求項１に記載のプログラムにおいて、前記制御手段は、前記診断対象のＰＥＴ画像データに付帯されている付帯情報に基づいて、前記撮影条件を生成する。
【００１２】
請求項３に記載の発明は、ＰＥＴ撮影により得られたＰＥＴ画像データを記憶する可搬型記憶媒体であって、コンピュータを、前記可搬型記憶媒体に記憶されているＰＥＴ画像データの中から診断対象のＰＥＴ画像データを選択するための操作手段、前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、として機能させるためのプログラムを前記ＰＥＴ画像データと共に記憶する。
【００１３】
請求項４に記載の発明は、請求項３に記載の可搬型記憶媒体において、前記制御手段は、前記診断対象のＰＥＴ画像データに付帯されている付帯情報に基づいて、前記撮影条件を生成する。
【００１４】
請求項５に記載の発明は、ＰＥＴ撮影により得られたＰＥＴ画像データを可搬型記憶媒体に書き込む書込制御手段を備える情報処理装置であって、前記情報処理装置の書込制御手段は、コンピュータを、前記可搬型記憶媒体に記憶されているＰＥＴ画像データの中から診断対象のＰＥＴ画像データを選択するための操作手段、前記診断対象のＰＥＴ画像データと同一患者の同一部位をＣＴ撮影又はＭＲ撮影して得られる、合成対象のＣＴ画像データ又はＭＲ画像データを生成するための撮影条件を生成し、当該生成された撮影条件をＣＴ装置又はＭＲ装置に送信する制御手段、として機能させるためのプログラムを前記ＰＥＴ画像データと共に前記可搬型記憶媒体に書き込む。
【００１５】
請求項６に記載の発明は、請求項５に記載の情報処理装置において、前記制御手段は、前記診断対象のＰＥＴ画像データに付帯されている付帯情報に基づいて、前記撮影条件を生成する。
【発明の効果】
【００１６】
請求項１、３、５に記載の発明によれば、ＰＥＴ画像データと合成されるＣＴ画像データ又はＭＲ画像データの生成を容易にすることができる。
【００１７】
請求項２、４、６に記載の発明によれば、ＰＥＴ画像データに付帯されている付帯情報に基づいて撮影条件を生成するので、撮影条件を手入力する必要がなく、入力ミスを防止することができる。
【発明を実施するための最良の形態】
【００１８】
以下、図面を参照して、本発明の実施の形態について説明する。
【００１９】
［医用画像システムのシステム構成］
図１に、医用画像システム１のシステム構成を示す。図１に示すように、医用画像システム１は、Ａ病院内医用画像システム１００とＢ病院内医用画像システム２００とから構成されている。
【００２０】
Ａ病院内医用画像システム１００は、Ａ病院内における医用画像システムである。Ａ病院内医用画像システム１００は、ＲＩＳ（Radiological Information System：放射線情報システム）１０と、モダリティ２０と、画像ビューワ端末３０と、Ａ病院用画像サーバ４０と、図示しないその他の装置とから構成されており、各装置は通信ネットワークＮ１を介してデータ通信可能に接続されている。
【００２１】
ＲＩＳ１０は、Ａ病院の放射線科部門内における診療予約、診断結果のレポート、実績管理、材料在庫管理等の情報管理を行う。ＲＩＳ１０は、図示しない電子カルテシステムから受信した撮影オーダ情報をモダリティ２０及びＡ病院用画像サーバ４０に送信する。
【００２２】
Ａ病院では、モダリティ２０としてＰＥＴ装置が備えられている。モダリティ２０は、ＲＩＳ１０から受信した撮影オーダ情報に従って患者をＰＥＴ撮影し、医用画像の画像データ（以下、医用画像データという。）を生成する。以下、ＰＥＴ撮影により得られる医用画像データをＰＥＴ画像データという。また、モダリティ２０は、撮影オーダ情報に基づいて、ＰＥＴ画像データに関する付帯情報を生成する。そして、モダリティ２０は、ＤＩＣＯＭ規格に則ってＰＥＴ画像データに付帯情報を付帯させ、Ａ病院用画像サーバ４０に送信する。
【００２３】
付帯情報は、患者情報、検査情報、シリーズ情報及び画像情報を含む。患者情報は、患者ＩＤ、患者名（英字、カナ、漢字）、性別、生年月日、年齢、身長、体重等の患者に関する情報である。検査情報は、検査を識別する検査インスタンスＵＩＤ、検査日、検査時刻、受付番号、担当医師等の検査に関する情報である。シリーズ情報は、シリーズを識別するシリーズインスタンスＵＩＤ、モダリティ名（検査種）、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００２４】
Ａ病院用画像サーバ４０は、モダリティ２０において生成されたＰＥＴ画像データ等の医用画像データ等を記憶し、管理する情報処理装置である。Ａ病院用画像サーバ４０は、外部機器から医用画像データの取得要求を受信した場合、当該取得要求に応じた医用画像データを当該外部機器に送信する。
【００２５】
また、Ａ病院用画像サーバ４０は、ＩＨＥ及びＩＨＥ−ＪのＰＤＩによって定められたデータ構造に則って、ＣＤ−ＲやＤＶＤ−Ｒ等のメディアＭ（可搬型記憶媒体）に医用画像データ等を書き込む（ＥＸＰＯＲＴする）。また、Ａ病院用画像サーバ４０は、ＰＥＴ画像データと共に、撮影オーダ情報生成プログラム４６１（図２参照）をメディアＭに書き込む。
【００２６】
画像ビューワ端末３０は、高精細モニタを有し、当該高精細モニタに医用画像を表示する端末である。画像ビューワ端末３０は、読影医等のユーザによる操作に基づき、Ａ病院用画像サーバ４０に医用画像データの取得要求を送信し、当該取得要求に応じた医用画像データを取得する。そして、当該医用画像データに基づきモニタに医用画像を表示する。
【００２７】
Ｂ病院内医用画像システム２００は、Ｂ病院内における医用画像システムである。Ｂ病院内医用画像システム２００は、モダリティ５０と、汎用ＰＣ端末６０と、ＲＩＳ７０と、画像ビューワ端末８０と、Ｂ病院用画像サーバ９０と、図示しないその他の装置とから構成されており、各装置は通信ネットワークＮ２を介してデータ通信可能に接続されている。
【００２８】
ＲＩＳ７０は、Ｂ病院の放射線科部門内における診療予約、診断結果のレポート、実績管理、材料在庫管理等の情報管理を行う。ＲＩＳ７０は、図示しない電子カルテシステムから受信した撮影オーダ情報をモダリティ５０及びＢ病院用画像サーバ９０に送信する。
【００２９】
Ｂ病院では、モダリティ５０としてＣＴ装置、ＭＲ装置が備えられている。モダリティ５０は、ＲＩＳ７０又は汎用ＰＣ端末６０から受信した撮影オーダ情報に従って患者をＣＴ撮影又はＭＲ撮影し、医用画像データを生成する。以下、ＣＴ撮影により得られる医用画像データをＣＴ画像データといい、ＭＲ撮影により得られる医用画像データをＭＲ画像データという。また、モダリティ５０は、撮影オーダ情報に基づいて、ＣＴ画像データ又はＭＲ画像データに関する付帯情報を生成する。そして、モダリティ５０は、ＤＩＣＯＭ規格に則ってＣＴ画像データ又はＭＲ画像データに付帯情報を付帯させ、Ｂ病院用画像サーバ９０に送信する。
【００３０】
Ｂ病院用画像サーバ９０は、モダリティ５０において生成されたＣＴ画像データ又はＭＲ画像データ等の医用画像データ等を記憶し、管理する。Ｂ病院用画像サーバ９０は、外部機器から医用画像データの取得要求を受信した場合、当該取得要求に応じた医用画像データを当該外部機器に送信する。
【００３１】
画像ビューワ端末８０は、高精細モニタを有し、当該高精細モニタに医用画像を表示する端末である。画像ビューワ端末８０は、読影医等のユーザによる操作に基づき、Ｂ病院用画像サーバ９０に医用画像データの取得要求を送信し、当該取得要求に応じた医用画像データを取得する。そして、当該医用画像データに基づきモニタに医用画像を表示する。
【００３２】
汎用ＰＣ端末６０は、通常の汎用ＰＣであり、Ａ病院用画像サーバ４０においてメディアＭに書き込まれたＰＥＴ画像データや撮影オーダ情報生成プログラム４６１等をメディアＭから読み出し、撮影オーダ情報生成プログラム４６１に従って、撮影オーダ情報を生成し、モダリティ５０に送信する。
【００３３】
［Ａ病院用画像サーバの機能的構成］
図２に、Ａ病院用画像サーバ４０の機能的構成を示す。図２に示すように、Ａ病院用画像サーバ４０は、制御部４１、操作部４２、表示部４３、通信部４４、ＲＯＭ（Read Only Memory）４５、記憶部４６、メディアドライブ４７を備えて構成され、各部はバス４８により接続されている。
【００３４】
制御部４１は、ＣＰＵ（Central Processing Unit）、ＲＡＭ（Random Access Memory）等から構成され、Ａ病院用画像サーバ４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００３５】
操作部４２は、カーソルキー、文字入力キー、及び各種機能キー等を備えたキーボードと、マウス等のポインティングデバイスを備えて構成され、キーボードに対するキー操作やマウス操作により入力された操作信号を制御部４１に出力する。
【００３６】
表示部４３は、ＬＣＤ（Liquid Crystal Display）により構成され、制御部４１から入力される表示データに基づいて各種画面を表示する。
【００３７】
通信部４４は、ＬＡＮ（Local Area Network）アダプタ、ルータ、ＴＡ（Terminal Adapter）等を備え、通信ネットワークＮ１を介して接続されたＲＩＳ１０、モダリティ２０、画像ビューワ端末３０等の外部機器との間でデータの送受信を行う。
【００３８】
ＲＯＭ４５は、不揮発性の半導体メモリ等により構成され、各種処理プログラム、当該プログラムの実行に必要なパラメータやファイル等を記憶している。
【００３９】
記憶部４６は、ハードディスク等から構成される記憶装置であり、モダリティ２０により生成されたＰＥＴ画像データ等の医用画像データや撮影オーダ情報生成プログラム４６１等を記憶する。
【００４０】
メディアドライブ４７は、制御部４１からの制御信号に基づき、メディアＭに各種データを書き込む。また、メディアドライブ４７は、制御部４１からの制御信号に基づき、メディアＭに記憶されている各種データを読み出す。
【００４１】
制御部４１は、記憶部４６に記憶されている医用画像データを管理する。制御部４１は、通信部４４を介して、外部機器から医用画像データを受信すると、当該医用画像データを記憶部４６に記憶させ、データベースに登録して管理する。
【００４２】
制御部４１は、通信部４４を介して、外部機器から医用画像データの取得要求を受信すると、当該医用画像データの取得要求に応じた医用画像データを記憶部４６から読み出す。そして、制御部４１は、通信部４４を介して、当該読み出した医用画像データを外部機器に送信する。
【００４３】
制御部４１は、操作部４２からの操作信号等に基づいて、書き込み対象として選択されたＰＥＴ画像データ、撮影オーダ情報生成プログラム４６１を記憶部４６から読み出し、メディアドライブ４７を介してメディアＭに書き込む。
【００４４】
図３に、このメディアＭが記憶するデータを示す。メディアＭには、ＰＥＴ画像データと撮影オーダ情報生成プログラム４６１とが記憶される。
【００４５】
ここで、撮影オーダ情報生成プログラム４６１とは、当該プログラムを実行するコンピュータに対して、メディアＭに共に記憶されているＰＥＴ画像データの中から診断対象のＰＥＴ画像データを選択させ、診断対象のＰＥＴ画像データと同一患者の同一部位をＣＴ撮影又はＭＲ撮影して得られる、合成対象のＣＴ画像データ又はＭＲ画像データを生成するための撮影条件を含む撮影オーダ情報を生成させ、当該生成された撮影オーダ情報をＣＴ装置又はＭＲ装置に送信させるためのプログラムである。
【００４６】
［Ｂ病院内のモダリティの機能的構成］
図４に、モダリティ５０の機能的構成を示す。図４に示すように、モダリティ５０は、制御部５１、操作部５２、表示部５３、通信部５４、ＲＯＭ５５、記憶部５６、撮影部５７を備えて構成され、各部はバス５８により接続されている。
【００４７】
制御部５１は、ＣＰＵ、ＲＡＭ等から構成され、モダリティ５０の各部の処理動作を統括的に制御する。具体的には、ＣＰＵは、操作部５２から入力される操作信号又は通信部５４により受信される指示信号に応じて、ＲＯＭ５５に記憶されている各種処理プログラムを読み出し、ＲＡＭ内に形成されたワークエリアに展開し、当該プログラムとの協働により各種処理を行う。
【００４８】
操作部５２は、各種機能キー等を備えて構成され、キー入力に基づく操作信号を制御部５１に出力する。
【００４９】
表示部５３は、ＬＣＤにより構成され、制御部５１から入力される表示データに基づいて各種画面を表示する。
【００５０】
通信部５４は、ＬＡＮアダプタ、ルータ、ＴＡ等を備え、通信ネットワークＮ２を介して接続されたＲＩＳ７０、汎用ＰＣ端末６０、Ｂ病院用画像サーバ９０等の外部機器との間でデータの送受信を行う。
【００５１】
ＲＯＭ５５は、不揮発性の半導体メモリ等により構成され、各種処理プログラム、当該プログラムの実行に必要なパラメータやファイル等を記憶している。
【００５２】
記憶部５６は、ハードディスク等から構成される記憶装置であり、ＲＩＳ７０又は汎用ＰＣ端末６０から受信した撮影オーダ情報や、撮影部５７において生成された医用画像データを記憶する。
【００５３】
撮影部５７は、撮影オーダ情報に従って患者をＣＴ撮影又はＭＲ撮影し、ＣＴ画像データ又はＭＲ画像データを生成する。
【００５４】
制御部５１は、撮影オーダ情報に従って撮影部５７に撮影を行わせる。また、制御部５１は、撮影オーダ情報に基づいて、ＣＴ画像データ又はＭＲ画像データに関する付帯情報を生成する。そして、制御部５１は、撮影部５７において生成されたＣＴ画像データ又はＭＲ画像データに、ＤＩＣＯＭ規格に則って付帯情報を付帯させ、通信部５４を介してＢ病院用画像サーバ９０に送信する。
【００５５】
［汎用ＰＣ端末の機能的構成］
図５に、汎用ＰＣ端末６０の機能的構成を示す。図５に示すように、汎用ＰＣ端末６０は、制御部６１、操作部６２、表示部６３、通信部６４、ＲＯＭ６５、記憶部６６、メディアドライブ６７を備えて構成され、各部はバス６８により接続されている。
【００５６】
制御部６１は、ＣＰＵ、ＲＡＭ等から構成され、汎用ＰＣ端末６０の各部の処理動作を統括的に制御する。具体的には、ＣＰＵは、操作部６２から入力される操作信号又は通信部６４により受信される指示信号に応じて、ＲＯＭ６５又はメディアＭに記憶されている各種処理プログラムを読み出し、ＲＡＭ内に形成されたワークエリアに展開し、当該プログラムとの協働により各種処理を行う。
【００５７】
操作部６２は、カーソルキー、文字入力キー、及び各種機能キー等を備えたキーボードと、マウス等のポインティングデバイスを備えて構成され、キーボードに対するキー操作やマウス操作により入力された操作信号を制御部６１に出力する。例えば、操作部６２は、メディアＭに記憶されているＰＥＴ画像データの中から診断対象のＰＥＴ画像データを選択する際に用いられる。
【００５８】
表示部６３は、ＬＣＤにより構成され、制御部６１から入力される表示データに基づいて各種画面を表示する。
【００５９】
通信部６４は、ＬＡＮアダプタ、ルータ、ＴＡ等を備え、通信ネットワークＮ２を介して接続されたモダリティ５０、Ｂ病院用画像サーバ９０等の外部機器との間でデータの送受信を行う。
【００６０】
ＲＯＭ６５は、不揮発性の半導体メモリ等により構成され、各種処理プログラム、当該プログラムの実行に必要なパラメータやファイル等を記憶している。
【００６１】
記憶部６６は、ハードディスク等から構成される記憶装置であり、モダリティ所在情報６６１等のデータを記憶している。モダリティ所在情報６６１とは、Ｂ病院内医用画像システム２００内におけるモダリティ５０の所在を示す情報である。具体的には、モダリティ所在情報６６１は、モダリティ５０の「ＩＰアドレス」、「ポート番号」、「ＡＥ（Application Entity）タイトル」の項目から構成される。ここで、「ＡＥタイトル」とは、ＤＩＣＯＭ規格に則った各機器の識別名である。モダリティ所在情報６６１の各項目は、ユーザ操作による操作部６２からの操作信号に基づき、予め設定されていることとしてもよいし、撮影オーダ情報生成プログラム４６１が起動してから設定されることとしてもよい。
【００６２】
メディアドライブ６７は、制御部６１からの制御信号に基づき、メディアＭに各種データを書き込む。また、メディアドライブ６７は、制御部６１からの制御信号に基づき、メディアＭに記憶されている各種データを読み出す。
【００６３】
制御部６１は、メディアドライブ６７を介して、メディアＭから撮影オーダ情報生成プログラム４６１を読み出し、撮影オーダ情報生成プログラム４６１との協働により、メディアＭに共に記憶されているＰＥＴ画像データの中から診断対象のＰＥＴ画像データを選択させ、診断対象のＰＥＴ画像データに付帯されている付帯情報に基づいて、診断対象のＰＥＴ画像データと同一患者の同一部位をＣＴ撮影又はＭＲ撮影して得られる、合成対象のＣＴ画像データ又はＭＲ画像データを生成するための撮影条件を含む撮影オーダ情報を生成し、当該生成された撮影オーダ情報を、通信部６４を介してモダリティ５０（ＣＴ装置又はＭＲ装置）に送信する。
【００６４】
［Ａ病院用画像サーバの動作］
次に、動作を説明する。
図６は、Ａ病院用画像サーバ４０において実行される処理を示すフローチャートである。この処理は、Ａ病院において患者を撮影して得られたＰＥＴ画像データを、他の医療施設においても利用可能なように、メディアＭに記憶させる処理であり、Ａ病院用画像サーバ４０の制御部４１とＲＯＭ４５に記憶されているプログラムとの協働によるソフトウェア処理によって実現される。なお、本動作の前提として、データを書き込むためのメディアＭは、メディアドライブ４７にセットされている。
【００６５】
まず、制御部４１により、記憶部４６に記憶されている医用画像データのうちＰＥＴ画像データの付帯情報が読み出され、読み出された付帯情報に基づいて、ＰＥＴ画像データのリストが表示部４３に表示される。そして、ユーザの操作部４２からの操作により、記憶部４６に記憶されているＰＥＴ画像データの中から、メディアＭへの書き込み対象となるＰＥＴ画像データが選択される（ステップＳ１）。
【００６６】
次に、制御部４１により、選択されたＰＥＴ画像データと撮影オーダ情報生成プログラム４６１とが記憶部４６から読み出される。そして、制御部４１により、メディアドライブ４７が制御され、選択されたＰＥＴ画像データと撮影オーダ情報生成プログラム４６１とがメディアＭに書き込まれる（ステップＳ２）。
以上で、Ａ病院用画像サーバ４０における処理が終了する。
【００６７】
患者は、Ａ病院用画像サーバ４０においてＰＥＴ画像データ及び撮影オーダ情報生成プログラム４６１が書き込まれたメディアＭを持ってＢ病院へ行く。
【００６８】
［汎用ＰＣ端末の動作］
図７は、汎用ＰＣ端末６０において実行される処理を示すフローチャートである。
まず、メディアドライブ６７に、Ａ病院用画像サーバ４０においてデータが書き込まれたメディアＭがセットされると、汎用ＰＣ端末６０の制御部６１により、メディアＭがセットされたことが検知される。次に、制御部６１により、メディアドライブ６７を介して、メディアＭから撮影オーダ情報生成プログラム４６１が読み出され（ステップＳ１１）、ＲＡＭに展開され、撮影オーダ情報生成プログラム４６１が起動される（ステップＳ１２）。そして、制御部６１と撮影オーダ情報生成プログラム４６１との協働により、以下の処理が実行される。
【００６９】
制御部６１により、メディアＭに記憶されているＰＥＴ画像データの付帯情報が読み出され、読み出された付帯情報に基づいて、検査リストが表示部６３に表示される（ステップＳ１３）。
【００７０】
図８に、表示部６３に表示される検査リスト画面６３１の表示例を示す。検査リスト画面６３１には、メディアＭに記憶されているＰＥＴ画像データの患者ＩＤ（メディアＭが作成されたＡ病院における患者ＩＤ）、患者名、検査日、検査種、部位等が表示される。
【００７１】
次に、ユーザの操作部６２からの操作により、検査リストの中から診断対象となる検査が選択される（ステップＳ１４）。そして、制御部６１により、選択された検査に含まれる、診断対象のＰＥＴ画像データが特定される（ステップＳ１５）。具体的には、制御部６１により、選択された検査に対応する検査インスタンスＵＩＤが付帯情報に含まれるＰＥＴ画像データが特定される。
【００７２】
次に、ユーザの操作部６２からの操作により、モダリティ５０が選択される（ステップＳ１６）。具体的には、操作部６２から検査種（ＣＴ、ＭＲ）、ＡＥタイトル等が入力されることにより、モダリティ５０が選択される。そして、制御部６１により、選択されたモダリティ５０に関する情報が、モダリティ所在情報６６１として記憶部６６に記憶される。
【００７３】
次に、制御部６１により、診断対象のＰＥＴ画像データの付帯情報が読み出され、診断対象のＰＥＴ画像データの付帯情報及びモダリティ所在情報６６１に基づいて、診断対象のＰＥＴ画像データと同一患者の同一部位をＣＴ撮影又はＭＲ撮影して得られる、合成対象のＣＴ画像データ又はＭＲ画像データを生成するための撮影条件を含む撮影オーダ情報が生成される（ステップＳ１７）。
【００７４】
撮影条件には、患者名、性別、生年月日、検査種、ＡＥタイトル、検査部位、スライス厚、撮影長（患者における撮影開始位置から撮影終了位置までの距離）、撮影方向、管電流、管電圧等が含まれる。患者名、性別、生年月日は、診断対象のＰＥＴ画像データの付帯情報のうち患者情報から抽出される。検査種、ＡＥタイトルは、ステップＳ１６において選択されたモダリティ５０の検査種、ＡＥタイトルがモダリティ所在情報６６１から抽出される。検査部位は、診断対象のＰＥＴ画像データの付帯情報のうちシリーズ情報から抽出される。スライス厚は、画像診断用ではないため、予め粗い固定値に設定されている。撮影長は、診断対象のＰＥＴ画像データの付帯情報のうち患者情報から抽出された年齢、性別、身長と、診断対象のＰＥＴ画像データの付帯情報のうちシリーズ情報から抽出された検査部位とに基づいて設定される。撮影方向は、「頭→足」又は「足→頭」のいずれかに予め設定されている。管電流、管電圧は、診断対象のＰＥＴ画像データの付帯情報のうち患者情報から抽出された体重に基づいて設定される。
【００７５】
図９（ａ）は、頭部を撮影して得られたＰＥＴ画像データの例である。図９（ｂ）は、図９（ａ）のＰＥＴ画像データと同一患者の同一部位をＣＴ撮影して得られるＣＴ画像データの例である。ステップＳ１７では、図９（ａ）に示すＰＥＴ画像データに対して、図９（ｂ）に示すようなＣＴ画像データ（又はＭＲ画像データ）を生成するための撮影条件を含む撮影オーダ情報が生成される。ＰＥＴ画像データとＣＴ画像データとを合成すると、図９（ｃ）に示すように、組織の形状を表示しつつ、細胞の代謝の様子を示すことができる。
【００７６】
図７に戻り、制御部６１により、ステップＳ１６において選択されたモダリティ５０から撮影オーダ情報の取得要求が通信部６４を介して受信されたか否かが判断される（ステップＳ１８）。そして、通信部６４により、選択されたモダリティ５０から撮影オーダ情報の取得要求が受信された場合には（ステップＳ１８；ＹＥＳ）、制御部６１により、通信部６４が制御され、撮影オーダ情報が当該モダリティ５０（ＣＴ装置又はＭＲ装置）に送信される（ステップＳ１９）。
以上で、汎用ＰＣ端末６０における処理が終了する。
【００７７】
［Ｂ病院内のモダリティの動作］
図１０は、モダリティ５０（ＣＴ装置又はＭＲ装置）において実行される処理を示すフローチャートである。この処理は、モダリティ５０の制御部５１とＲＯＭ５５に記憶されているプログラムとの協働によるソフトウェア処理によって実現される。
【００７８】
まず、モダリティ５０の制御部５１により、汎用ＰＣ端末６０に対して、撮影オーダ情報の取得要求が通信部５４を介して送信される（ステップＳ２１）。
【００７９】
次に、通信部５４により、汎用ＰＣ端末６０から撮影オーダ情報が受信された場合には（ステップＳ２２；ＹＥＳ）、制御部５１により、撮影オーダ情報に基づいて、モダリティ５０の条件が設定される（ステップＳ２３）。
【００８０】
次に、制御部５１の制御に従って、撮影オーダ情報に基づいて、撮影部５７により、患者の対象部位について撮影が行われ、ＣＴ画像データ又はＭＲ画像データが生成される（ステップＳ２４）。
【００８１】
次に、制御部５１により、撮影オーダ情報に基づいて付帯情報が生成される。そして、制御部５１により、ＣＴ画像データ又はＭＲ画像データにＤＩＣＯＭ規格に則って付帯情報が付帯され、通信部５４を介してＢ病院用画像サーバ９０に送信される（ステップＳ２５）。
以上で、モダリティ５０における処理が終了する。
【００８２】
Ｂ病院用画像サーバ９０では、モダリティ５０から送信されたＣＴ画像データ又はＭＲ画像データが記憶される。Ｂ病院内医用画像システム２００では、メディアＭに記憶されているＰＥＴ画像データと同一患者の同一部位を検査対象としたＣＴ画像データ又はＭＲ画像データをＢ病院用画像サーバ９０から取得することによって、ＰＥＴ画像データとＣＴ画像データ又はＭＲ画像データとを合成し、合成画像（フュージョン画像）を表示することができる。
【００８３】
以上説明したように、汎用ＰＣ端末６０において、制御部６１と撮影オーダ情報生成プログラム４６１との協働により、診断対象のＰＥＴ画像データと同一患者の同一部位をＣＴ撮影又はＭＲ撮影して得られる、合成対象のＣＴ画像データ又はＭＲ画像データを生成するための撮影条件を含む撮影オーダ情報を生成し、当該生成された撮影オーダ情報をモダリティ５０（ＣＴ装置又はＭＲ装置）に送信するので、診断対象のＰＥＴ画像データと合成されるＣＴ画像データ又はＭＲ画像データの生成を容易にすることができる。
【００８４】
また、診断対象のＰＥＴ画像データに付帯されている付帯情報に基づいて撮影条件を含む撮影オーダ情報を生成することができる。すなわち、診断対象のＰＥＴ画像データの付帯情報から撮影条件に必要な情報を抽出するので、撮影条件を手入力する必要がなく、入力ミスを防止することができる。
【００８５】
なお、上記実施の形態における記述は、本発明に係るプログラム、可搬型記憶媒体及び情報処理装置の一例であり、これに限定されるものではない。システムを構成する各装置の細部構成及び細部動作に関しても適宜変更可能である。
【００８６】
例えば、上記実施の形態において、ＰＥＴ画像データや撮影オーダ情報生成プログラム４６１等をメディアＭに書き込む機能を、Ａ病院用画像サーバ４０に持たせる構成としたが、当該機能をモダリティ２０に持たせる構成としてもよい。
【００８７】
以上の説明では、各処理を実行するためのプログラムを格納したコンピュータ読み取り可能な媒体としてＲＯＭや可搬型記憶媒体を使用した例を開示したが、この例に限定されない。その他のコンピュータ読み取り可能な媒体として、フラッシュメモリ等の不揮発性メモリ等を適用することも可能である。また、プログラムのデータを通信回線を介して提供する媒体として、キャリアウェーブ（搬送波）を適用することとしてもよい。
【図面の簡単な説明】
【００８８】
【図１】医用画像システムのシステム構成図である。
【図２】Ａ病院用画像サーバの機能的構成を示すブロック図である。
【図３】メディアに記憶されているデータのデータ構成図である。
【図４】Ｂ病院内のモダリティの機能的構成を示すブロック図である。
【図５】汎用ＰＣ端末の機能的構成を示すブロック図である。
【図６】Ａ病院用画像サーバにおいて実行される処理を示すフローチャートである。
【図７】汎用ＰＣ端末において実行される処理を示すフローチャートである。
【図８】汎用ＰＣ端末に表示される検査リスト画面の表示例である。
【図９】（ａ）は、頭部を撮影して得られたＰＥＴ画像データの例である。（ｂ）は、図９（ａ）のＰＥＴ画像データと同一患者の同一部位をＣＴ撮影して得られるＣＴ画像データの例である。（ｃ）は、合成画像の例である。
【図１０】Ｂ病院内のモダリティにおいて実行される処理を示すフローチャートである。
【符号の説明】
【００８９】
１  医用画像システム
１０  ＲＩＳ
２０  モダリティ
３０  画像ビューワ端末
４０  Ａ病院用画像サーバ
４１  制御部
４２  操作部
４３  表示部
４４  通信部
４５  ＲＯＭ
４６  記憶部
４６１  撮影オーダ情報生成プログラム
４７  メディアドライブ
４８  バス
５０  モダリティ
５１  制御部
５２  操作部
５３  表示部
５４  通信部
５５  ＲＯＭ
５６  記憶部
５７  撮影部
５８  バス
６０  汎用ＰＣ端末
６１  制御部
６２  操作部
６３  表示部
６３１  検査リスト画面
６４  通信部
６５  ＲＯＭ
６６  記憶部
６６１  モダリティ所在情報
６７  メディアドライブ
６８  バス
７０  ＲＩＳ
８０  画像ビューワ端末
９０  Ｂ病院用画像サーバ
１００  Ａ病院内医用画像システム
２００  Ｂ病院内医用画像システム
Ｍ  メディア
Ｎ１  通信ネットワーク
Ｎ２  通信ネットワーク
【図１】
2010029284.tif 000003
【図２】
2010029284.tif 000004
【図３】
2010029284.tif 000005
【図４】
2010029284.tif 000006
【図５】
2010029284.tif 000007
【図６】
2010029284.tif 000008
【図７】
2010029284.tif 000009
【図８】
2010029284.tif 000010
【図９】
2010029284.tif 000011
【図１０】
2010029284.tif 000012